(57)【特許請求の範囲】
【請求項１】
キッチンのシンクの奥側に取り付けられ、金属線材で形成されたかご状のシンク用ラックであって、
水平方向に延展した物品載置板部と、
前記物品載置部に垂直に設けられた支持部と、
を備え、前記支持部には鉛直方向に並んで複数の取付孔が前記金属線材から下方が開放されたループ状に形成されており、
前記取付孔が前記シンクに形成された一組の突起部に着脱可能に掛け止められて、前記シンクに対して取り付け高さ調整可能に構成されていること
を特徴とするシンク用ラック。
【請求項２】
前記部品載置部には排水用の孔部が設けられていることを特徴とする請求項１記載のシンク用ラック。
【請求項３】
前記ラックの前記取付孔は、鉛直方向に並んで２つ形成されていることを特徴とする請求項１又は２記載のシンク用ラック。
【請求項４】
前記ラックの前記取付孔は、水平方向に２つ並んで１組として形成されていることを特徴とする請求項１乃至３の何れか１項記載のシンク用ラック。
【請求項５】
水平方向に延展した物品載置板部と、前記物品載置部に垂直に設けられた支持部とを備え、前記支持部には鉛直方向に並んで下方が開放されたループ状の複数の取付孔が形成された金属線材からなるかご状のラックと、
排水部が設けられた底面部と前記底面部の外周縁から上方に起立する内周面部とが形成され、前記内周面部の奥側に前記ラックと着脱可能に係合する一組の突起部が形成されたシンクと、
を備えることを特徴とするラック付きシンク。
【請求項６】
前記部品載置部には排水用の孔部が設けられていることを特徴とする請求項５記載のラック付きシンク。
【請求項７】
前記ラックの前記取付孔は、鉛直方向に並んで２つ形成されていることを特徴とする請求項５又は６記載のラック付きシンク。
【請求項８】
前記ラックの前記取付孔及び前記シンクの突起部は、それぞれ水平方向に２つ並んで１組として形成されていることを特徴とする請求項５乃至７の何れか１項記載のラック付きシンク。
【請求項９】
請求項５乃至８の何れか１項記載のラック付きシンクを備えるキッチン。
【発明の詳細な説明】
【技術分野】
【０００１】
本発明は、着脱可能に取り付けられるシンク用ラック若しくはこれを備えるラック付きシンク及びキッチンに関するものである。
【背景技術】
【０００２】
キッチンのシンクには、食器洗い用の洗剤が入った容器や食器洗い用のスポンジ等、流し台で用いられる道具を置いておくため、線状の鋼材や樹脂、パンチングメタル等により形成されたラックが設けられていることがある。
【０００３】
このようなラックは使用時に水に濡れることがあるため、ラックはシンク内の所定の位置に、所定の取り付け手段を用いて着脱可能に取り付けられている。これによりラックに付着した水がシンク内に落ち排水されるようになっている。
【０００４】
また、シンク内に取り付けるラックは、ラックの上端部がシンクの開口部と略同一の高さとなるように形成されている。これにより、ラックがシンク内に取り付けられた場合であってもラックがシンクから飛び出すことがなく、美観が損なわれないようになっている。
【０００５】
こうしたラック付きのシンクでは、ラックの取り付け位置は高さ方向に１段のみ設けられていて、上下に取り付け位置を調節することはできなかった。
【０００６】
そこで、特許文献１に記載されているように、シンク壁面に固定されたコの宇型の固定部材に籠状の収納部材を引っ掛けて取り付け、籠状の収納部材にさらに収納ラックを引っ掛けて取り付けるラック付きシンクがある。
【０００７】
この特許文献１に開示されているラック付きシンクでは図５（ａ）及び（ｂ）に示すように、籠状の収納部材に対する収納ラックの取り付け位置を上下に調節可能である。
【０００８】
しかし、こうしたラックの取り付け位置の調整を収納部材を介さずに行う場合には、シンク側に複数の取付部材を設ける必要があるが、その分水回りの汚れが蓄積する箇所を増やすことになるため、こうした取付部材を徒に増やすことは避けたいという要請があった。
【０００９】
一方、特許文献１に記載されているような取付部材を用いない例として、特許文献２には、磁石を用いたラック付きシンクが開示されている。このシンクは、シンクに磁石が取り付けられていて、この磁石の磁力によりラックがシンク内に取り付けられる構成になっている。
【００１０】
また、特許文献３にも、磁石を用いたラック付きシンクが開示されているが、こちらは特許文献１とは異なり、ラック側に磁石が取り付けられた構成になっている。
【先行技術文献】
【特許文献】
【００１１】
【特許文献１】特開２０１２−２４５３０８号公報
【特許文献２】特開２０１３−８５６２８号公報
【特許文献３】特開２００５−１４３７３８号公報
【発明の概要】
【発明が解決しようとする課題】
【００１２】
しかし、特許文献２のシンクで上下方向の取付位置を調節可能とする場合には、磁石をシンクの上下位置に複数個所設ける必要があるため、シンクの製造コストが高くなるという問題がある。
【００１３】
また、特許文献３のシンクでは、ラック側に設けられる磁石のサイズに制約があるため、十分な取付強度を確保することが難しいという問題がある。
【００１４】
そこで、本発明は、上述した問題点に鑑みて案出されたものであり、十分なラックの取付強度を確保し、シンクの美観や清掃性を損ねず、製造コストの増加も防止しつつ、ラックの取付位置を上下に調節可能とすることで、シンク内の作業スペースの広さを調節することのできるシンク用ラック、ラック付きシンク及びキッチンを提供することを目的とする。
【課題を解決するための手段】
【００１５】
本発明者は、上述した課題を解決するために、十分なラックの取付強度を確保し、シンクの美観や清掃性を損ねず、製造コストの増加も防止しつつ、ラックの取付位置を上下に調節可能とすることで、シンク内の作業スペースの広さを調節することのできるシンク用ラック、ラック付きシンク及びキッチンを発明した。
【００１６】
第１発明に係るシンク用ラックは、キッチンのシンクの奥側に取り付けられ、金属線材で形成されたかご状のシンク用ラックであって、水平方向に延展した物品載置板部と、前記物品載置部に垂直に設けられた支持部と、を備え、前記支持部には鉛直方向に並んで複数の取付孔が前記金属線材から下方が開放されたループ状に形成されており、前記取付孔が前記シンクに形成された一組の突起部に着脱可能に掛け止められて、前記シンクに対して取り付け高さ調整可能に構成されていることを特徴とする。
【００１７】
第２発明に係るシンク用ラックは、第１発明において、前記部品載置部には排水用の孔部が設けられていることを特徴とする。
【００１８】
第３発明に係るシンク用ラックは、第１又は第２発明において、前記ラックの前記取付孔は、鉛直方向に並んで２つ形成されていることを特徴とする。
【００１９】
第４発明に係るシンク用ラックは、第１〜第３発明の何れか１つにおいて、前記ラックの前記取付孔は、水平方向に２つ並んで１組として形成されていることを特徴とする。
【００２０】
第５発明に係るラック付きシンクは、水平方向に延展した物品載置板部と、前記物品載置部に垂直に設けられた支持部とを備え、前記支持部には鉛直方向に並んで下方が開放されたループ状の複数の取付孔が形成された金属線材からなるかご状のラックと、排水部が設けられた底面部と前記底面部の外周縁から上方に起立する内周面部とが形成され、前記内周面部の奥側に前記ラックと着脱可能に係合する一組の突起部が形成されたシンクと、を備えることを特徴とする。
【００２１】
第６発明に係るラック付きシンクは、第５発明において、前記部品載置部には排水用の孔部が設けられていることを特徴とする。
【００２２】
第７発明に係るラック付きシンクは、第５又は６発明において、前記ラックの前記取付孔は、鉛直方向に並んで２つ形成されていることを特徴とする。
【００２３】
第８発明に係るラック付きシンクは、第５〜第７発明の何れか１つにおいて、前記ラックの前記取付孔及び前記シンクの突起部は、それぞれ水平方向に２つ並んで１組として形成されていることを特徴とする。
【００２４】
第９発明に係るキッチンは、第５〜第８発明の何れか１つに係るラック付きシンクを備えることを特徴とする。
【発明の効果】
【００２５】
上述した構成からなる本発明によれば、十分なラックの取付強度を確保し、シンクの美観や清掃性を損ねず、製造コストの増加も防止しつつ、ラックの取付位置を上下に調節可能とすることで、シンク内の作業スペースの広さを調節することが可能となる。
【図面の簡単な説明】
【００２６】
【図１】本発明の実施形態に係るキッチンを示す斜視図である。
【図２】図１のキッチンで用いられるシンク用ラックを示す斜視図である。
【図３】図２のシンク用ラックの側面図である。
【図４】図１のシンクにおけるシンク用ラックの取付位置を示す模式図であり、（Ａ）は通常の取付位置を、（Ｂ）はシンクの作業スペース拡張時の取付位置を示す。
【図５】シンク用ラックの変形例を示す斜視図である。
【発明を実施するための形態】
【００２７】
以下、本発明の実施の形態としてのキッチンについて詳細に説明する。
【００２８】
図１は、本発明の実施形態に係るキッチン１を示す斜視図である。
【００２９】
キッチン１は、ラック付きシンク２、作業台３及びコンロ４等を備えて構成されている。実際のキッチン１には、ラック付きシンク２の下部等に収納棚等が設けられるが、図１においては図示が省略されている。
【００３０】
ラック付きシンク２は、シンク本体２２と、シンク用ラック２１と、ラックの取り付けに用いられる突起部２３とを備えて構成されている。また、シンク本体２２には、水栓２４と排水口２５が設けられている。
【００３１】
シンク本体２２は、ステンレス製であり、排水口２５が設けられた底面部２２１と、底面部２２１の外周縁から上方に起立する内周面部２２２とが形成されている。
【００３２】
シンク本体２２の内周面部２２２には、平面視で台形状であり、奥にいくほど幅が狭くなる凹部２２３が形成されている。この凹部２２３には、シンク用ラック２１が取り付けられる。凹部２２３の奥側（図１の紙面の奥行き方向）の面には、ラックと着脱可能に係合する突起部２３が水平方向に２つ並んで形成されている。
【００３３】
作業台３は、調理時の食材の切断等、使用者が各種作業を行うためのスペースである。
【００３４】
コンロ４は電気やガスを熱源として高温を発生し、食物を加熱し調理を行うための構成である。
【００３５】
シンク用ラック２１は金属線材で形成されたかご状の部材であり、シンク本体２２の凹部２２３の内周面に沿って配置されるよう、平面視で台形状をしている。
【００３６】
シンク用ラック２１は、かご状のラック本体２１１と、ラック本体２１１の底部に取り付けられると水平方向に延展し部品載置部となる、金属細線により形成された簀子状の底板２１２とを備えて構成されている。
【００３７】
ラック本体２１１は、平面視で台形状をしたかご状の部材であり、底板２１２を載置可能に形成され底板２１２よりも目の粗い底部２１１ａと、底部２１１ａに垂直に３方向に設けられた周壁部２１１ｂと、底部２１１ａに垂直に設けられ周壁部２１１ｂと連続して形成された支持部２１１ｃと、を備えて構成されている。
【００３８】
支持部２１１ｃは、線材をループ状に形成することで形成される取付孔２１１ｄを備えている。取付孔２１１ｄは、水平方向に所定の間隔を空けて２つのものが１組として形成されるとともに、この組が上下方向（鉛直方向）に２つ並んで形成されている。すなわち、支持部２１１ｃには、取付孔２１１ｄが４つ形成されていることになる。
【００３９】
それぞれの組の取付孔２１１ｄ、２１１ｄは、シンク本体２２の１組の突起部２３、２３と係合可能となっていて、１組の取付孔２１１ｄ、２１１ｄ間の間隔は、１組の突起部２３、２３間の間隔と同一になっている。
【００４０】
図４は、図１のシンクにおけるシンク用ラックの取付位置を示す模式図であり、（Ａ）は通常の取付位置を、（Ｂ）はシンクの作業スペース拡張時の取付位置を示す。
【００４１】
図４に示すように、シンク本体２２の１組の突起部２３、２３と係合する取付孔２１１ｄ、２１１ｄの組を変えることで、シンク本体２２にシンク用ラック２１を取り付ける際、シンク本体２２の底面部２２１からシンク用ラック２１の底部２１１ａまでの高さを２段階に調節することができる。
【００４２】
底板２１２は、シンク本体２２の底部２１１ａよりも目が細かく金属細線が張り巡らされた簀子状の部材であり、ラック付きシンク２で用いられる食器用スポンジ等の道具を、これの水切りをしつつ載置可能とする部材である。
【００４３】
なお、本実施形態においては底板２１２の金属細線による簀子形状が排水機構として機能するが、本発明においてはこれに限らず、パンチングメタルや金属細線製のネット等、排水可能な孔部を有する部材であれば底板２１２として好適に用いることができる。また、こうした排水機能を有しない樹脂や金属製の板材により形成された底板２１２としてもよい。
【００４４】
上述した本実施形態に係るキッチンによると、十分なラックの取付強度を確保し、シンクの美観や清掃性を損ねず、製造コストの増加も防止しつつ、ラックの取付位置を上下に調節可能とすることで、シンク内の作業スペースの広さを調節することが可能となる。
【００４５】
そのため、シンク内に大型の鍋や多数の食器等が置かれ洗浄作業が行われる場合等に、シンク用ラックを作業台等に移動することなく当該作業を行うことができ、ラックに載置されたスポンジ等から洗剤等が垂れることによる作業台等への汚れの発生を効果的に防止することができる。
【００４６】
なお、本発明に係るキッチンに用いられるシンク用ラックの形状は上述した実施形態に限られず、取付高さを調節可能なものであれば種々の形状のものを採用することができる。
【００４７】
例えば、シンク用ラックの形状を図５に示すようにしてもよい。図５は、シンク用ラックの変形例を示す斜視図である。
【００４８】
ラック本体８１１は、上述した実施形態に係るシンク用ラック２１よりも小型のラックである。このラック本体８１１も、平面視で台形状をしたかご状の部材であり、底板８１２を載置可能に形成され底板８１２よりも目の粗い底部８１１ａと、底部８１１ａに垂直に３方向に設けられた周壁部８１１ｂと、底部８１１ａに垂直に設けられ周壁部８１１ｂと連続して形成された支持部８１１ｃと、を備えて構成されている。
【００４９】
変形例に示すシンク用ラック８１も、上述した実施形態と同様に、取付高さを調節可能とするための２組の取付孔８１１ｄ、８１１ｄが上下に並べて配置されている。
【００５０】
こうしたシンク用ラックを用いても、上述した実施形態と同様の効果を奏することができる。
【００５１】
また、上述した実施形態及び変形例において、シンク用ラックに設けられた取付孔は２組であったが、本発明においてはこれに限らず、３組以上としてもよい。こうした構成によっても、上述した実施形態と同様の効果を奏することができる。
【００５２】
また、ラック付きシンクに設けられた突起部とシンク用ラックに設けられた取付孔の形状及び個数も、上述した実施形態及び変形例に限られず、シンク用ラックを着脱可能に取り付けられる形態であれば種々のものを採用することができる。
【００５３】
例えば、突起部を水平方向に延展する突条状にし、取付孔も溝状とすることで、上述した実施形態及び変形例において上下にそれぞれ２個で１組として設けられていた突起部及び取付孔を、１つずつ上下に設ける態様とすることもできる。もちろんこのようは突条状の突起部及び溝状の取付孔を複数個設けても良いことは言うまでもない。
【００５４】
また、２個で１組としていた突起部及び取付孔を、３個以上で１組として上下に複数段設ける態様とすることもできる。
【００５５】
これらの突起部及び取付孔の態様によっても、上述した実施形態及び変形例と同様の効果を奏することができる。
【符号の説明】
【００５６】
１  キッチン
２  ラック付きシンク
３  作業台
４  コンロ
２１  シンク本体
２２  シンク用ラック
２３  突起部
２４  水栓
２５  排水口
２１１  ラック本体
２１１ａ  底部
２１１ｂ  周壁部
２１１ｃ  支持部
２１１ｄ  取付孔
２１２  底板
【図１】
0006437234.tif 000002
【図２】
0006437234.tif 000003
【図３】
0006437234.tif 000004
【図４】
0006437234.tif 000005
【図５】
0006437234.tif 000006